(57)【要約】【課題】  本発明は、貯蔵安定性に優れ、温度による粘度変化が少なく、洗浄時に程好い泡立ちで、すすぎ時に泡立ちが低い液体濃縮洗浄剤組成物ならびにそれを用いた洗浄方法を提供することを目的とする。【解決手段】  下記の（ａ）〜（ｄ）成分を組成物全体に対し下記の割合で含有するとともに、（ｅ）成分として水を含有し、上記（ｂ）成分と（ｄ）成分の質量比が、（ｂ）／（ｄ）＝０．２〜２０であり、且つ組成物のｐＨ（ＪＩＳ  Ｚ−８８０２：２０１１「ｐＨ測定方法」）が、２５℃で６〜８であることを特徴とする液体濃縮洗浄剤組成物：（ａ）非イオン界面活性剤（脂肪酸アルカノールアミドを除く）４０〜６０質量％、（ｂ）脂肪酸アルカノールアミド０．４〜２０質量％、（ｃ）水溶性溶剤５〜２０質量％、（ｄ）炭素数１６〜２２の飽和脂肪酸０．５〜２質量％。【選択図】なし【特許請求の範囲】
【請求項１】
下記の（ａ）〜（ｄ）成分を組成物全体に対し下記の割合で含有するとともに、（ｅ）成分として水を含有し、上記（ｂ）成分と（ｄ）成分の質量比が、（ｂ）／（ｄ）＝０．２〜２０であり、且つ組成物のｐＨ（ＪＩＳ  Ｚ−８８０２：２０１１「ｐＨ測定方法」）が、２５℃で６〜８であることを特徴とする液体濃縮洗浄剤組成物：
（ａ）非イオン界面活性剤（脂肪酸アルカノールアミドを除く）４０〜６０質量％、
（ｂ）脂肪酸アルカノールアミド０．４〜２０質量％、
（ｃ）水溶性溶剤５〜２０質量％、
（ｄ）炭素数１６〜２２の飽和脂肪酸０．５〜２質量％。
【請求項２】
上記（ａ）成分の非イオン界面活性剤の内、少なくともポリオキシエチレンアルキルエーテルを含むことを特徴とする請求項１に記載の液体濃縮洗浄剤組成物。
【請求項３】
上記請求項１〜２に記載の液体濃縮洗浄剤組成物を０．０１〜０．１質量％に希釈して使用する洗浄方法。
【発明の詳細な説明】
【発明の詳細な説明】
【技術分野】
【０００１】  本発明は、非イオン界面活性剤を主剤とする液体濃縮洗浄剤組成物であって、食器・調理器具の手洗い洗浄作業はもとより、自動食器洗浄機による自動洗浄に先立つ前浸漬や予洗、さらには洗濯用途として好適な洗浄剤組成物に関するものである。
【背景技術】
【０００２】  近年、省エネルギー化、省資源化、低コスト化などに積極的な取り組みが行われており、洗浄剤に関しても輸送費や容器代などの省力化の為、高濃度化が図られている。洗浄剤の多くは、洗浄性能の主要因である界面活性剤やビルダーを含んでおり、これらを高濃度で配合することで濃縮化を図っている。しかしながら、これらを高濃度に配合すると、条件によっては使用時において泡が立ちすぎてしまったり、洗浄剤組成物自体の粘度が高くなったり、低温で固まり扱いにくくなってしまったりと様々な問題を引き起こしてしまうことがある。【０００３】  濃縮タイプの液体洗浄剤組成物としては、例えば、（ａ）水溶性界面活性剤が少なくとも６０ｗ％以上但し（必須として脂肪酸アルカノールアミドを含み）、（ｂ）水溶性有機溶剤を５ｗ％以上、（ｃ）水分が１５ｗ％未満、（ｄ）（Ｃ５Ｈ８）を骨格となるイソプレン化合物を（ａ）の界面活性剤含有量の１０％以内からなるもの（特許文献１）や、陰イオン界面活性剤５〜３５重量％、脂肪酸アルカノールアミド２３〜６０重量％、直鎖高級アルコールのポリオキシエチレンアルキルエーテル０〜６０重量％、両性界面活性剤０〜３重量％で且つこれらの合計が６０〜９５重量％の界面活性剤成分、溶剤０〜２０重量％、残りが水になるもの（特許文献２）などが提案されている。
【先行技術文献】
【特許文献】
【０００４】
【特許文献１】特開平０７−３１００９９号公報
【特許文献２】特開平０６−２４０２９２号公報
【発明の概要】
【発明が解決しようとする課題】
【０００５】  しかしながら、これらの洗浄剤組成物は、高濃度に界面活性剤を配合しているにも係わらず貯蔵安定性に優れ、洗浄剤組成物の粘度も実使用上問題ないという特徴を有しているが、食器洗浄機による洗浄に先立つ前浸漬や予洗の用途に使用する場合、前浸漬の洗浄液が食器と共に食器洗浄機内に持ち込まれるため、食器洗浄機内で泡立ちが激しくなってしまうことから洗浄不良を引き起こしたり、ドラム式洗濯機で使用する場合には、洗浄工程時の泡立ちが激しく、洗濯機から泡が溢れ出したり、すすぎにくいという課題がある。逆に低泡性の界面活性剤を用いて泡立ちを押さえることは可能であるが、泡立ちを抑えすぎると、前浸漬時の手洗いやジェットバスにおいて、泡立ちを指標にして洗浄剤を過剰に使用してしまったり、ドラム式洗濯機の窓から洗浄時の様子を見た使用者が、泡立ちがないために洗剤が洗濯機に投入されていないのではという誤認を引き起こすことがある。
また、高濃度にすればするほど、１回の使用量を減らすことができるが、あまりに使用量が少ないと、洗浄剤供給装置を用いて洗浄剤を食器洗浄機の前浸漬槽や洗濯機に投入する際に、投入量のバラつきが大きくなったり、使用者が洗浄剤の入った容器からキャップなどに洗浄剤を測り入れる際に、過剰に入れてしまったりして、却って環境に負荷を与えてしまったり、使用者が経済的に不利になってしまうという問題もある。
【課題を解決するための手段】
【０００６】  本発明者は、上記課題を解法するために鋭意研究を重ねた結果、下記の発明を完成するに至った。
下記の（ａ）〜（ｄ）成分を組成物全体に対し下記の割合で含有するとともに、（ｅ）成分として水を含有し、上記（ｂ）成分と（ｄ）成分の質量比が、（ｂ）／（ｄ）＝０．２〜２０であり、且つ組成物のｐＨ（ＪＩＳ  Ｚ−８８０２：２０１１「ｐＨ測定方法」）が、２５℃で６〜８であることを特徴とする液体濃縮洗浄剤組成物を第１の要旨とする。
（ａ）非イオン界面活性剤（脂肪酸アルカノールアミドを除く）４０〜６０質量％、
（ｂ）脂肪酸アルカノールアミド０．４〜２０質量％、
（ｃ）水溶性溶剤５〜２０質量％、
（ｄ）炭素数１６〜２２の飽和脂肪酸０．５〜２質量％。【０００７】  また、本発明は、その中でも上記（ａ）成分の非イオン界面活性剤の内、少なくともポリオキシエチレンアルキルエーテルを含むことを特徴とする液体濃縮洗浄剤組成物を第２の要旨とする。【０００８】  そして、本発明は、上記液体濃縮洗浄剤組成物を０．０１〜０．１質量％に希釈して使用する洗浄方法を第３の要旨とする。
【発明の効果】
【０００９】  すなわち、本発明の液体濃縮洗浄剤組成物は、洗浄性に優れてはいるが、水との混合でゲル化現象を起こす非イオン界面活性剤に脂肪酸アルカノールアミド及び水溶性溶剤を配合することで、貯蔵安定性に優れ、低温でも粘度の上昇を防ぎ、また、特定の比率で脂肪酸アルカノールアミドと炭素数１６〜２２の飽和脂肪酸とを配合することにより、食器洗浄機による洗浄に先立つ前浸漬や予洗の用途やドラム式洗濯機で使用する場合でも泡立ちすぎず、少なすぎない、程好い泡立ちを有し、且つすすぎ時の低泡性が良好という特徴を併せ持つ。【００１０】  また、希釈時における実使用上取扱容易な濃度に設定するのに最適な有効成分を有し、且つ貯蔵安定性に優れ、粘度の温度変化が少ないために、希釈濃度にバラつきなく使用することができる。
【発明を実施するための形態】
【００１１】  つぎに、本発明を実施するための最良の形態を詳細に説明する。
【００１２】  まず、本発明に用いられる（ａ）成分としては、非イオン界面活性剤が用いられる。上記非イオン界面活性は、単独で用いても、２種以上を併用しても良い。非イオン界面活性剤は、例えば、ポリオキシエチレンアルキルエーテル、ポリオキシエチレンポリオキシプロピレンアルキルエーテル、ポリオキシエチレンポリオキシブチレンアルキルエーテル、ポリオキシエチレン−ポリオキシプロピレンブロックポリマー、リバース型のポリオキシエチレン−ポリオキシプロピレンブロックポリマーなどが挙げられる。
【００１３】  これらの中でも洗浄性、洗浄時の泡立ち性、およびすすぎ性の点からポリオキシエチレンアルキルエーテルが好適に用いられる。アルキル鎖は直鎖でも分岐でもよく、炭素数は９〜１８が好ましく、洗浄性の点から、さらに１２〜１６がより好ましい。エチレンオキサイドの平均付加モル数は、５〜２０モルが好ましく、洗浄性の点から６〜１５モルがより好ましい。
【００１４】  上記（ａ）成分は、本発明の洗浄剤組成物全体に対して、４０〜６０質量％の割合で含有される。すなわち、主洗浄成分としての非イオン界面活性剤が、少なすぎると濃縮洗浄剤とならず、小パッケージ化や低使用量などの濃縮洗浄剤としてのメリットが得られない。また、多すぎると、洗浄剤を測り取る際に取りすぎてしまうなど、適正な濃度にするのに不利である。洗浄性、洗浄時の泡立ち、およびすすぎ時の泡立ちの点から、４２〜５８質量％がより好ましく、４５〜５５質量％がさらに好ましい。
【００１５】  また、本発明に用いられる（ｂ）成分としては、脂肪酸アルカノールアミドが挙げられる。上記脂肪酸アルカノールアミドは、単独で用いても、２種以上を併用しても良い。脂肪酸アルカノールアミドは、例えば、ヤシ油脂肪酸ジエタノールアミド、ラウリン酸ジエタノールアミド，ラウリン酸ミリスチン酸ジエタノールアミド，ミリスチン酸ジエタノールアミド，パーム核油脂肪酸ジエタノールアミド、オレイン酸ジエタノールアミド、ポリオキシエチレン（ＥＯ２〜５モル）ヤシ油脂肪酸モノエタノールアミドなどが挙げられる。これらの中でも、貯蔵安定性、粘度安定性の点から、ヤシ油脂肪酸ジエタノールアミドが好ましい。
【００１６】  上記（ｂ）成分は、本発明の洗浄剤組成物全体に対して、０．４〜２０質量％の割合で含有される。上記（ａ）成分の非イオン界面活性剤は、洗浄剤組成物全体として、４０〜６０質量％に限定されているが、その範囲においては、上記（ｅ）成分の水と混合して洗浄剤組成物を製造する際に、ゲル化が生じて、低温で流動性低下により固化したり、高粘度溶液になる等問題がある。そのようなゲル化を解消するため、上記（ｂ）成分と（Ｃ）成分の溶剤との組み合わせが必須となる。すなわち、（ｂ）成分の脂肪酸アルカノールアミドが少なすぎると、特に低温時において、洗浄剤組成物が使用に適した粘度にならず、また、多すぎると洗浄時の泡立ちが多すぎてしまい、泡が洗浄機や洗濯機から漏れる事態となったり、すすぎ時に泡が残って、すすぎ切れなかったりするという点で不利である。よって、粘度安定性、泡立ち性の点から、２〜１５質量％がより好ましく、３〜１０質量％がさらに好ましい。
【００１７】  また、本発明に用いられる（ｃ）成分としては、水溶性溶剤が挙げられる。上記水溶性溶剤は、単独で用いても、２種以上を併用しても良い。水溶性溶剤は、例えば、エタノール等の低級アルコールや，プロピレングリコール，ポリエチレングリコール，グリセリン、ジエチレングリコールモノエチルエーテル、ジエチレングリコールモノブチルエーテル等があげられる。これらの中でも溶剤自体の臭気が少なく、貯蔵安定性において変色が少ない点を考慮すると、プロピレングリコール及びグリセリンが好適であり、液体濃縮洗浄剤組成物の粘度を低くする点を考慮すると、エタノール及びジエチレングリコールモノエチルエーテル、ジエチレングリコールモノブチルエーテルが好適である。
【００１８】  上記（ｃ）成分は、本発明の洗浄剤組成物全体に対して、５〜２０質量％の割合で含有される。貯蔵安定性、粘度安定性の点から、６〜１８質量％がより好ましく、７〜１５質量％がさらに好ましい。
【００１９】  また、本発明に用いられる（ｄ）成分としては、炭素数１６〜２２の飽和脂肪酸が挙げられ、本発明の洗浄剤組成物全体に対して、０．５〜２質量％の割合で含有される。すなわち、少なすぎると泡立ち抑制が不十分であり、多すぎると貯蔵安定性の点で不利になる。泡立ち抑制および貯蔵安定性の点から、０．８〜１．８質量％がより好ましく、１．０〜１．６質量％がさらに好ましい。
【００２０】  また、上記（ｂ）成分と（ｄ）成分の質量比が、（ｂ）／（ｄ）＝０．２〜２０であることが好適である。すなわち、値が低すぎると洗浄時の泡立ちが低すぎて、洗浄時に洗剤が投入されていないとの誤認を引き起こす可能性があり、値が高すぎると洗浄時およびすすぎ時の泡立ちが激しくなる点で不利になる。
特に洗浄時およびすすぎ時の泡立ち性の点から、１〜１５が好ましく、さらに２〜１０がより好ましい。
【００２１】  また、本発明に用いられる（ｅ）成分としては、水が挙げられる。水としては、水道水、軟水、イオン交換水、純水、精製水等があげられ、好ましくは、水道水、軟水が用いられる。なお、上記「水」は、本発明の組成物を構成する各成分に由来の結晶水や水溶液の形で含まれる水と外から加えられる水との総和であり、液体濃縮洗浄剤組成物全体が１００％となるよう配合される。
【００２２】  さらに、これらの液体濃縮洗浄剤組成物の中でも、炭素数が１２以上の陰イオン界面活性剤を実質含まないことが好適である。すなわち、炭素数１２未満のものであれば、液体濃縮洗浄剤組成物の洗浄時およびすすぎ時の泡立ち性への影響が少なく、好適である。
【００２３】  そして、本発明は、上記液体濃縮洗浄剤組成物を０．０１〜０．１質量％に希釈して使用することが好適である。少なすぎると、所望の洗浄力が得られないと共に、測り取る洗浄剤の量が少なすぎて、正確な濃度に調整する点で不利になる。また、多すぎると、液体濃縮洗浄剤としての利点（小パッケージ、低使用量）が失われてしまう。よって、これらの点から、上記液体濃縮洗浄剤組成物を０．０２〜０．０８質量％で使用することが、より好ましい。
【００２４】  そして、本発明の液体濃縮洗浄剤組成物には、任意成分として、ｐＨ調整剤、有機酸およびその塩、染料、香料、金属腐食抑制剤、殺菌剤、抗菌剤、消臭剤、帯電防止剤、酸化防止剤、蛍光増白剤等を用いることができる。
【００２５】  本発明の液体濃縮洗浄剤組成物は、食品由来の油や人体から発生する皮脂汚れに対する洗浄性に優れているため、食器の洗浄用途、衣類の洗濯の用途に最適である。また、洗浄時に程よい泡立ちになり、すすぎ時の低濃度に希釈された際に泡立ちが低くなるので、食器洗浄機による洗浄に先立つ前浸漬や予洗の用途やドラム式洗濯機で使用するのに最適である。また、貯蔵安定性に優れ、温度による粘度変化が少ないため、人の手によるマニュアルで測り取ることはもちろんのこと、自動供給装置を用いても安定に洗浄剤を供給することが可能である。低濃度で使用するため、大きな容量の形態にする必要がなく、コンパクトな容器にて輸送することが可能であり、資材倉庫内の占有スペースを軽減することができる。
【実施例】
【００２６】  つぎに、実施例について比較例と併せて説明する。本発明は、これらに限定されるものではない。【００２７】  まず、組成物を調整するために、下記のとおり、各成分を準備した。各成分の詳細は、下記の通りであり、表１〜５中の数値は、各成分を純分で示したものである。なお、特に断りのない限り、「％」は質量基準を意味する。また、水は、特に断りのない限り水道水を用いている。【００２８】＜非イオン界面活性剤（ａ）＞
・ａ−１：高級アルコール（炭素数１２〜１３）のエチレンオキサイド６．８モル付加物
・ａ−２：セカンダリーアルコール（炭素数１２〜１４）のエチレンオキサイド１２モル付加物【００２９】＜脂肪酸アルカノールアミド（ｂ）＞
・ｂ−１：アミコールＣＤＥ−Ｇ（ヤシ油脂肪酸ジエタノールアミド、ミヨシ油脂社製）【００３０】＜水溶性溶剤（ｃ）＞
・ｃ−１：プロピレングリコール
・ｃ−２：ジエチレングリコールモノブチルエーテル【００３１】＜炭素数１６〜２２の飽和脂肪酸（ｄ）＞
・ｄ−１：ステアリン酸【００３２】〔実施例１〜２２、比較例１〜７〕
後記の表１〜５に示す組成（各表の数値の単位は「質量％」である）の洗浄剤組成物を調製し、洗浄性、泡立ち性、貯蔵安定性、粘度について評価した。各項目の試験方法及び評価基準は、下記に示す通りである。【００３３】〔洗浄性〕
・試験方法
湿式人工汚染布（洗濯科学協会製）を３枚タオルに縫い付け、それを３本用意した。エレクトロラックス社製洗濯機（型番：Ｗ３２４０Ｈ）に浴比調整用の衣類と共に、前記用意したタオルを入れた。浴比調整用衣類は、乾燥重量１ｋｇの衣類に対して洗浄時に使用する水の量が１０Ｌになるよう調整した。供試液体濃縮洗浄剤組成物を、０．０３質量％濃度になるよう測りとって洗濯機に投入し、洗浄温度６０℃にて、洗浄時間１０分間洗浄し、すすぎを３回行った。洗浄前後の汚染布の反射率を反射率計（東京電色社製、型番：ＴＣ−６Ｄ）を用いて測定し、下記の式にて洗浄率を算出し、下記の評価基準にて判定した。
2020139126.tif 000002
・評価基準
○：６０％以上
△：５０％以上６０％未満
×：５０％未満【００３４】〔洗浄時の泡立ち性〕
・試験方法
供試液体濃縮洗浄剤組成物を、水道水を用い、洗浄時の濃度である０．０３質量％にそれぞれ希釈して、試験液を作成した。この試験液を容量１００ｍｌの比色管に５０ｍｌを注ぎ、恒温水槽により２５℃に調温した。その後、比色管の蓋を押さえながら上下に振とうを１秒間に１回上下する速さで、１分間振とうを行った。振とう後３０秒経過後の泡の高さを測定した。下記の評価基準にて判定し、×以外を良とした。
・評価基準
◎：２０以上４０ｍｍ未満
○：４０以上６０ｍｍ未満      ●：１０以上２０ｍｍ未満
△：６０以上７０ｍｍ未満
×高：７０ｍｍ以上            ×低：１０ｍｍ未満【００３５】〔すすぎ時の泡立ち性〕
・試験方法
上記〔泡立ち性〕の評価と同様の試験方法であるが、希釈濃度を０．０００３％にして行った。（泡立ち性試験の１／１００希釈濃度。すすぎ時の濃度を想定）。
下記の評価基準にて判定し、×以外を良とした。
・評価基準
◎：５ｍｍ未満
○：５以上１０ｍｍ未満
△：１０以上１５ｍｍ未満
×：１５ｍｍ以上【００３６】〔貯蔵安定性〕
・試験方法
供試液体濃縮洗浄剤組成物を２５０ｍｌのポリビンに２００ｍｌずつ入れ、室温（約２５℃）、低温（−５℃〜５℃；２４時間サイクル）、高温（４０℃）の３つの保管条件にて、１ケ月間配置した。そして、以下の基準で評価した。
・評価基準
○：透明、または、全体的に僅かな曇りが生じているが、分離は認められない。
（実用性に問題なし）
×：分離、沈殿又は変色が認められる（実用性に問題あり）【００３７】〔粘度〕
・試験方法
Ｂ型粘度計（東京計器社製、形式：ＢＬ）を用い、５℃および２０℃における粘度を測定した。
・測定条件
ローター：＃３、回転速度：６０ｒｐｍ、回転時間：３０秒
・評価基準
◎：５０以上３００ｍＰａ・ｓ未満
○：３００以上５００ｍＰａ・ｓ未満
△：５００以上７００ｍＰａ・ｓ未満
×：７００ｍＰａ・ｓ以上【００３８】
【表１】
2020139126.tif 000003
【００３９】
【表２】
2020139126.tif 000004
【００４０】
【表３】
2020139126.tif 000005
【００４１】
【表４】
2020139126.tif 000006
【００４２】
【表５】
2020139126.tif 000007
【００４３】  上記表１〜表５の評価結果から、実施例１〜２２は、洗浄性、泡立ち性、すすぎ性、貯蔵安定性、粘度のいずれの項目においてもほぼ良好な結果が得られていることがわかる。これに対し、比較例１〜７は、少なくともいつくかの項目において、実用上の問題があることがわかる。
【産業上の利用可能性】
【００４４】  本発明の液体濃縮洗浄剤組成物は、貯蔵安定性に優れ、温度による粘度変化が少ないため、人の手によるマニュアルで測り取ることはもちろんのこと、自動供給装置を用いても安定に洗浄剤を供給することが可能である。また、洗浄時に程好い泡立ちになり、すすぎ時の低濃度に希釈された際に泡立ちが低くなるので、食器洗浄機による洗浄に先立つ前浸漬や予洗の用途やドラム式洗濯機で使用するのに最適である。